(57)【要約】【課題】  有機汚泥の浄化剤を水中に供給し、供給した浄化剤を拡散させて水を浄化する有機汚泥の浄化剤拡散装置を提供する。【解決手段】  水底に設置されたアンカー３３、３４を備える固定手段３８を介して水面部又は水面部近傍に浮上状態で配置され、駆動手段１４によって回転する回転羽根１３の回転で起こる水流によって、水底付近の水を水面付近まで上昇させて循環させ、回転羽根１３近傍に設けられた放出口２７ａから排出される浄化剤を水中に広く拡散する。【選択図】        図１
2005066475.tif 000002
【特許請求の範囲】
【請求項１】
水底に設置されたアンカーを備える固定手段を介して水面部又は水面部近傍に浮上状態で配置され、駆動手段によって回転する回転羽根によって、該回転羽根近傍に設けられた放出口から排出される浄化剤を水中に拡散することを特徴とする有機汚泥の浄化剤拡散装置。
【請求項２】
請求項１記載の有機汚泥の浄化剤拡散装置であって、前記固定手段は、前記アンカーと、該アンカーに固定ロープを介して水中に固定される連結部材とを有し、しかも、該連結部材は前記アンカーに前記固定ロープを介して連結される支持ロッドと、該支持ロッドに一体的に連結される垂直部材とを有していることを特徴とする有機汚泥の浄化剤拡散装置。
【請求項３】
請求項２記載の有機汚泥の浄化剤拡散装置において、前記回転羽根は、前記垂直部材の先部に前記駆動手段を介して連結される支持部材の周囲に配置され、
前記放出口は、前記回転羽根、前記支持部材及び前記連結部材のいずれか１に取付けられていることを特徴とする有機汚泥の浄化剤拡散装置。
【請求項４】
請求項２記載の有機汚泥の浄化剤拡散装置において、前記回転羽根は、前記垂直部材に回転自由に設けられている水平部材と、該水平部材の先部に設けられている支持部材を介して設けられていることを特徴とする有機汚泥の浄化剤拡散装置。
【請求項５】
請求項４記載の有機汚泥の浄化剤拡散装置において、前記支持部材は前記駆動手段を介して前記水平部材に設けられていることを特徴とする有機汚泥の浄化剤拡散装置。
【請求項６】
請求項１〜５のいずれか１項に記載の有機汚泥の浄化剤拡散装置において、前記浄化剤は、酵素及び好気性微生物のいずれか一方又は双方であることを特徴とする有機汚泥の浄化剤拡散装置。
【請求項７】
請求項１〜６のいずれか１項に記載の有機汚泥の浄化剤拡散装置において、前記浄化剤の供給手段は、陸上に設置され、チューブを介して前記放出口に連結されていることを特徴とする有機汚泥の浄化剤拡散装置。
【請求項８】
請求項１〜６のいずれか１項に記載の有機汚泥の浄化剤拡散装置において、前記浄化剤の供給手段は、前記支持部材に固定されて配置され、チューブを介して前記放出口に連結されていることを特徴とする有機汚泥の浄化剤拡散装置。
【請求項９】
請求項１〜８のいずれか１項に記載の有機汚泥の浄化剤拡散装置において、前記浄化剤の供給手段は、液状の前記浄化剤を徐々に点滴する点滴装置を有することを特徴とする有機汚泥の浄化剤拡散装置。
【請求項１０】
請求項１〜８のいずれか１項に記載の有機汚泥の浄化剤拡散装置において、前記浄化剤の供給手段は、所定量の前記浄化剤を時間毎に水中に放出するタイマー式の電磁弁を有することを特徴とする有機汚泥の浄化剤拡散装置。
【請求項１１】
請求項１〜１０のいずれか１項に記載の有機汚泥の浄化剤拡散装置において、前記駆動手段の電源は陸上に設置された電気供給手段からケーブルを介して供給されていることを特徴とする有機汚泥の浄化剤拡散装置。
【請求項１２】
請求項１〜１０のいずれか１項に記載の有機汚泥の浄化剤拡散装置において、前記駆動手段の電源は、前記支持部材に固定されて配置され、太陽発電機、風力発電機及び水力発電機のいずれか１又は２以上からなる電気供給手段から供給されることを特徴とする有機汚泥の浄化剤拡散装置。
【請求項１３】
請求項１２記載の有機汚泥の浄化剤拡散装置において、前記電気供給手段には、該電気供給手段によって発生した電気を蓄えるバッテリが接続され、該バッテリに蓄えられた電気によって、前記駆動手段を駆動可能であることを特徴とする有機汚泥の浄化剤拡散装置。
【発明の詳細な説明】
【技術分野】
【０００１】
本発明は、有機汚泥の浄化剤を水中に供給し、供給した浄化剤を拡散させて、水質を向上させる有機汚泥の浄化剤拡散装置に関する。
【背景技術】
【０００２】
従来、海や池等の水を浄化するためには、海や池等から汚れた水をポンプによってプールに汲み上げ、汲み上げられた汚水に酵素、好気性微生物等の浄化剤を混合し、浄化剤によって、水中の有機物や有機汚泥を分解し、水を浄化して綺麗にした後、再び水を海や池に戻していた。また、川等の流れのある場所では、浄化剤を点滴によって注入し、その流れによって浄化剤を拡散させていた。
また、例えば、特許文献１では、回転翼を有する水循環装置が開示され、水循環装置の回転翼によって、水底付近の水を水面まで導く流れを起こし、水面まで導かれた水に太陽の紫外線と酸素を吸収させて活性化している。
【０００３】
【特許文献１】特許第３３６００７５号公報
【発明の開示】
【発明が解決しようとする課題】
【０００４】
しかしながら、水をポンプで汲み上げ、浄化剤と混合する方法では、水の汲み上げ作業が大変であり、大きな池、海では全ての水を浄化することは実質的に不可能であった。また、池等の流れのない閉鎖区域では、点滴によって浄化剤を注入しても、浄化剤が全体に拡散しないという問題があった。更に、特許文献１の発明では、水の循環による浄化であるので、浄化の速度が遅いという問題があった。
本発明はかかる事情に鑑みてなされたもので、有機汚泥の浄化剤を水中に供給し、供給した浄化剤を拡散させて水を浄化する有機汚泥の浄化剤拡散装置を提供することを目的とする。
【課題を解決するための手段】
【０００５】
前記目的に沿う第１の発明に係る有機汚泥の浄化剤拡散装置は、水底に設置されたアンカーを備える固定手段を介して水面部又は水面部近傍に浮上状態で配置され、駆動手段によって回転する回転羽根によって、該回転羽根近傍（近傍とは回転羽根も含む）に設けられた放出口から排出される浄化剤を水中に拡散する。
ここで、浄化剤拡散装置を構成する部材は、水と接触した場合に、有害物質が水中に溶け出さない材質で形成する必要がある。駆動手段としては、電気により回転駆動するモータ等がある。
【０００６】
第２の発明に係る有機汚泥の浄化剤拡散装置は、第１の発明に係る有機汚泥の浄化剤拡散装置において、前記固定手段は、前記アンカーと、該アンカーに固定ロープを介して水中に固定される連結部材とを有し、しかも、該連結部材は前記アンカーに前記固定ロープを介して連結される支持ロッドと、該支持ロッドに一体的に連結される垂直部材とを有している。
【０００７】
第３の発明に係る有機汚泥の浄化剤拡散装置は、第２の発明に係る有機汚泥の浄化剤拡散装置において、前記回転羽根は、前記垂直部材の先部に前記駆動手段を介して連結される支持部材の周囲に配置され、
前記放出口は、前記回転羽根、前記支持部材及び前記連結部材のいずれか１に取付けられている。
【０００８】
第４の発明に係る有機汚泥の浄化剤拡散装置は、第２の発明に係る有機汚泥の浄化剤拡散装置において、前記回転羽根は、前記垂直部材に回転自由に設けられている水平部材と、該水平部材の先部に設けられている支持部材を介して設けられている。
【０００９】
第３及び第４の発明に係る有機汚泥の浄化剤拡散装置において、支持部材は、支持部材及びこれに取付けられている機器全体を浮かす浮力体を備えてもよい。これによって、支持部材及びこの支持部材に取付けられている機器全体、具体的には回転羽根、駆動手段、及び浄化剤の供給手段等を浮力体の浮力により水上に浮上させることができる。ここで、浮力体としては、例えば、発泡スチロールが使われ、支持部材を構成するフレームに取付けてもよい。
【００１０】
また、回転羽根は水に浮く材質で形成され、回転羽根の浮力により浮力体を安定させることもできる。これによって、水面の揺れや強風等によって、浮力体が傾くような場合でも、回転羽根が浮力体を支え、浄化剤拡散装置の浮いている部分が転覆するのを防ぐことができる。
【００１１】
第５の発明に係る有機汚泥の浄化剤拡散装置は、第４の発明に係る有機汚泥の浄化剤拡散装置において、前記支持部材は前記駆動手段を介して前記水平部材に設けられている。
【００１２】
第６の発明に係る有機汚泥の浄化剤拡散装置は、第１〜第５の発明に係る有機汚泥の浄化剤拡散装置において、前記浄化剤は、酵素及び好気性微生物のいずれか一方又は双方である。
【００１３】
第７の発明に係る有機汚泥の浄化剤拡散装置は、第１〜第６の発明に係る有機汚泥の浄化剤拡散装置において、前記浄化剤の供給手段は、陸上に設置され、チューブを介して前記放出口に連結されている。
【００１４】
第８の発明に係る有機汚泥の浄化剤拡散装置は、第１〜第６の発明に係る有機汚泥の浄化剤拡散装置において、前記浄化剤の供給手段は、前記支持部材に固定されて配置され、チューブを介して前記放出口に連結されている。
【００１５】
第７及び第８の発明に係る有機汚泥の浄化剤拡散装置において、浄化剤の供給手段としては、浄化剤を貯留する貯留槽及び所定量の浄化剤を時間毎に貯留槽から汲み出すタイマー付のポンプ等があり、貯留槽から汲み出された浄化剤をチューブを介して水中に供給することができる。なお、大型の貯留槽を使用した場合、浄化剤の補給頻度を少なくすることができ、また、希釈した浄化剤を貯留すると、タイマーを作動させずに、浄化剤を水中に常時放出することもできる。
【００１６】
第９の発明に係る有機汚泥の浄化剤拡散装置は、第１〜第８の発明に係る有機汚泥の浄化剤拡散装置において、前記浄化剤の供給手段は、液状の前記浄化剤を徐々に点滴する点滴装置を有する。
【００１７】
第１０の発明に係る有機汚泥の浄化剤拡散装置は、第１〜第８の発明に係る有機汚泥の浄化剤拡散装置において、前記浄化剤の供給手段は、所定量の前記浄化剤を時間毎に水中に放出するタイマー式の電磁弁を有する。
【００１８】
第１１の発明に係る有機汚泥の浄化剤拡散装置は、第１〜第１０の発明に係る有機汚泥の浄化剤拡散装置において、前記駆動手段の電源は陸上に設置された電気供給手段からケーブルを介して供給されている。ここで、電気供給手段は、陸上に設けられた配電盤、発電機、バッテリー等が用いられる。
【００１９】
第１２の発明に係る有機汚泥の浄化剤拡散装置は、第１〜第１０の発明に係る有機汚泥の浄化剤拡散装置において、前記駆動手段の電源は、前記支持部材に固定されて配置され、太陽発電機、風力発電機及び水力発電機のいずれか１又は２以上からなる電気供給手段から供給される。
【００２０】
第１３の発明に係る有機汚泥の浄化剤拡散装置は、第１２の発明に係る有機汚泥の浄化剤拡散装置において、前記電気供給手段には、該電気供給手段によって発生した電気を蓄えるバッテリが接続され、該バッテリに蓄えられた電気によって、前記駆動手段を駆動可能である。
【発明の効果】
【００２１】
第１〜第１３の発明に係る有機汚泥の浄化剤拡散装置においては、水面部又は水面部近傍に浮上状態で配置され、駆動手段によって回転する回転羽根によって、回転羽根近傍に設けられた放出口から排出される浄化剤を水中に拡散するので、回転羽根の回転で起こる水流により、水底付近の水を水面付近まで上昇させて循環させ、浄化剤を水中に広く拡散させることができる。
【００２２】
第２の発明に係る有機汚泥の浄化剤拡散装置においては、固定手段は、アンカーと、アンカーに固定ロープを介して水中に固定される連結部材とを有し、しかも、連結部材はアンカーに固定ロープを介して連結される支持ロッドと、支持ロッドに一体的に連結される垂直部材とを有しているので、固定手段を簡単に形成することができる。
【００２３】
第３の発明に係る有機汚泥の浄化剤拡散装置においては、回転羽根は、垂直部材の先部に駆動手段を介して連結される支持部材の周囲に配置され、放出口は、回転羽根、支持部材及び連結部材のいずれか１に取付けられているので、支持部材及びこれに取付けられる機器全体を所定の位置に固定でき、その位置の水を浄化することができる。
【００２４】
第４の発明に係る有機汚泥の浄化剤拡散装置においては、回転羽根は、垂直部材に回転自由に設けられている水平部材と、水平部材の先部に設けられている支持部材を介して設けられているので、浄化剤の供給手段が固定手段を中心に、実質的に水平部材の長さを半径として回転し、広い範囲の水を浄化させることができる。
【００２５】
第５の発明に係る有機汚泥の浄化剤拡散装置においては、支持部材は駆動手段を介して水平部材に設けられているので、駆動手段の駆動によって、駆動手段を中心として回転羽根が回転すると共に、固定手段を中心として支持部材及びこれに取付けられた回転羽根が回転可能であり、水平部材の長さを半径として回転し、広い範囲の水を浄化させることができる。
【００２６】
第６の発明に係る有機汚泥の浄化剤拡散装置においては、浄化剤は、酵素及び好気性微生物のいずれか一方又は双方であるので、水中の汚濁物質を分解し、水を浄化することができる。
【００２７】
第７の発明に係る有機汚泥の浄化剤拡散装置においては、浄化剤の供給手段は、陸上に設置され、チューブを介して放出口に連結されているので、浄化剤の供給や、故障等による作動不良に対応し易くなる。
【００２８】
第８の発明に係る有機汚泥の浄化剤拡散装置においては、浄化剤の供給手段は、支持部材に固定されて配置され、チューブを介して放出口に連結されているので、供給された浄化剤が回転羽根による水流によって効率よく水中に拡散される。
【００２９】
第９の発明に係る有機汚泥の浄化剤拡散装置においては、浄化剤の供給手段は、液状の浄化剤を徐々に点滴する点滴装置を有するので、常に浄化剤を水中に供給することができる。
【００３０】
第１０の発明に係る有機汚泥の浄化剤拡散装置においては、浄化剤の供給手段は、所定量の浄化剤を時間毎に水中に放出するタイマー式の電磁弁を有するので、浄化剤の供給量を正確に把握することができ、浄化剤の供給手段への浄化剤の補充時期が分かる。
【００３１】
第１１の発明に係る有機汚泥の浄化剤拡散装置においては、駆動手段の電源は陸上に設置された電気供給手段からケーブルを介して供給されているので、駆動手段に安定した電気の供給ができる。
【００３２】
第１２の発明に係る有機汚泥の浄化剤拡散装置においては、駆動手段の電源は、支持部材に固定されて配置され、太陽発電機、風力発電機及び水力発電機のいずれか１又は２以上からなる電気供給手段から供給されるので、海や池等の岸から電気を供給する配線を水中に設けなくてもよく、断線等により電気の供給ができず浄化剤拡散装置が動かなくなることがなくなる。
【００３３】
第１３の発明に係る有機汚泥の浄化剤拡散装置においては、電気供給手段には、電気供給手段によって発生した電気を蓄えるバッテリが接続され、バッテリに蓄えられた電気によって、駆動手段を駆動可能であるので、夜間や、曇り、無風の時等の発電ができない際でも、駆動手段を駆動することができる。また、発電機が故障しても、バッテリに蓄えられた電気によって、駆動手段を駆動することができる。
【発明を実施するための最良の形態】
【００３４】
続いて、添付した図面を参照しつつ、本発明を具体化した実施の形態につき説明し、本発明の理解に供する。
ここで、図１は本発明の第１の実施の形態に係る有機汚泥の浄化剤拡散装置の説明図、図２は同浄化剤拡散装置の要部断面図、図３は同浄化剤拡散装置の部分平面図、図４は本発明の第２の実施の形態に係る有機汚泥の浄化剤拡散装置の説明図、図５は同浄化剤拡散装置の部分平面図、図６は本発明の第３の実施の形態に係る有機汚泥の浄化剤拡散装置の説明図、図７は同浄化剤拡散装置の要部断面図、図８は同浄化剤拡散装置の部分平面図、図９は本発明の第４の実施の形態に係る有機汚泥の浄化剤拡散装置の説明図である。
【００３５】
図１〜図３を参照して、本発明の第１の実施の形態に係る有機汚泥の浄化剤拡散装置（以下、単に「浄化剤拡散装置」という）１０について説明する。
図１〜図３に示すように、浄化剤拡散装置１０は、水底に設置されたアンカー３３、３４を備える固定手段３８を介して水面部又は水面部近傍に浮上状態で配置され、駆動手段の一例であるモータ１４（回転数は、例えば０．５〜１０ｒｐｍ）によって回転する複数、例えば、３枚の回転羽根１３（長さは、例えば０．５〜５ｍ）によって、回転羽根１３の近傍に設けられた浄化剤の放出口２７ａから排出される浄化剤を水中に拡散する装置である。以下、詳しく説明する。
【００３６】
浄化剤拡散装置１０は、水面に浮く、例えば、円筒形の発泡スチロールで形成された浮力体１１を備えた支持部材１２を有し、３つの回転羽根１３は、支持部材１２を中心にして放射状に広げて設けられている。なお、この浮力体１１は、図面上においては小さく記載されているが、十分な浮力を有し、例えば、後述する酵素タンク２４内の酵素溶液の排出量によって、大きく浮き上がる等の弊害が生じないようになっている。
【００３７】
ここで、固定手段３８は、アンカー３３、３４と、アンカー３３、３４にそれぞれ固定ロープ３５、３６を介して水中に固定される連結部材３６ａとを有し、しかも、連結部材３６ａはアンカー３３、３４に固定ロープ３５、３６を介して、その両端が連結される支持ロッド３７と、支持ロッド３７に一体的に連結される垂直部材である固定軸１８とを有している。なお、支持ロッド３７の両端には、図示しないフックが設けられ、これらのフックによって、支持ロッド３７と固定ロープ３５、３６とが連結されている。
【００３８】
また、図２に示すように、モータ１４は、その回転軸１５を下向きとして、支持部材１２の底部に設けられた取付ベース１６上に配置されている。なお、モータ１４の回転軸１５は、円筒形の支持部材１２の中心軸と実質的に一致する位置に配置されている。また、回転軸１５の先端は、その軸心と一致する固定軸１８に取付けられている。ここで、固定軸１８は、支持部材１２の底部から水中に突出している。
【００３９】
固定軸１８は、支持部材１２の底部内側に設けられたケーシング１９に取付けられたブッシュで形成された軸受２０、及び支持部材１２の底部外側に設けられたケーシング２１に取付けられた鍔付のブッシュで形成された軸受２２によって支持されている。更に、固定軸１８の先端は、フランジに形成され、他の部材とボルト等によって接続が可能となっている。
【００４０】
また、回転羽根１３は、例えば、強化プラスチック等からなって基部が棒状に形成され、支持部材１２の側面上部に固定されている。つまり、回転羽根１３は、固定軸１８の先部にモータ１４を介して連結される支持部材１２の周囲に配置されている。また、回転羽根１３の先部は、板状の水掻き部１７が形成され、回転羽根１３が回転する際には、水掻き部１７が水を掻くようになっている。
【００４１】
なお、３つの回転羽根１３の基部は、円筒形の支持部材１２の中心軸を中心として、等角度、つまり、１２０度の角度となるように取付けられている。また、回転羽根１３の水掻き部１７は、発泡スチロールで形成され、全体の浮力の向上に役立っている。これによって、支持部材１２の安定を図り、風による機器全体の転覆を防止している。
【００４２】
更に、浄化剤拡散装置１０は、水中の有機物や水底に堆積する有機汚泥を分解する有機汚泥の浄化剤、例えば、酵素溶液を、水中に徐々に供給する浄化剤の供給手段２３を有している。なお、浄化剤の供給手段２３は、酵素溶液を貯留する酵素タンク２４と、所定量の酵素溶液を時間毎に水中に放出するタイマー式の電磁弁２６と、酵素溶液を水中に供給するチューブ２７から構成されている。
【００４３】
ここで、酵素タンク２４は、支持部材１２の上部に固定されて配置され、酵素タンク２４の下側側部には、酵素タンク２４内に貯留している酵素溶液を水中に放出する供給口２５が設けられている。供給口２５の基部側、つまり、酵素タンク２４内側には、電磁弁２６が設置されている。また、供給口２５には酵素溶液を水中に供給するチューブ２７が取付けられている。
【００４４】
チューブ２７は支持部材１２の側部に沿って下方に伸延している。浄化剤の供給手段２３は、チューブ２７を介して放出口２７ａに連結され、放出口２７ａから酵素を水中に供給できるようになっている。なお、放出口２７ａを回転羽根１３より上に配置し、水面上から酵素溶液を垂らすこともできる。
【００４５】
また、酵素タンク２４の側面上部には、酵素タンク２４内に酵素溶液を注入する酵素注入口２８が設けられている。なお、酵素タンク２４内側には、単位時間当たり所定量の酵素溶液を送る定容量ポンプを取付けることもできるが、この実施の形態では重力によって酵素タンク２４から所定量の浄化剤を時間毎に水中にタイマー式の電磁弁２６を介して放出している。
【００４６】
また、浄化剤拡散装置１０は、電気供給手段の一例である太陽発電機、例えば太陽光によって発電する太陽電池２９を備え、太陽電池２９は、酵素タンク２４の上面に取付けられている。太陽電池２９により発生する電気によって、モータ１４、タイマー式の電磁弁２６が駆動する。なお、太陽電池２９、モータ１４及び電磁弁２６には、図示しない配線が施されている。また、太陽電池２９によって発生した電気を蓄えるバッテリ３０が、支持部材１２内に取付けられ、太陽電池２９とは図示しない配線で接続されている。
【００４７】
更に、支持部材１２内には、モータ１４の回転数を制御する制御装置３１が取付けられている。なお、この実施の形態では電源として太陽電池２９を使用しているが、支持部材１２から電源ケーブルを水中に垂らして、商用電源から供給することもでき、これによって、装置全体を気候に関係なく安定させて動作させることができる。更に、バッテリ３０によって、曇りや雨の日、又は夜等、太陽電池２９において発電できないときでも電気の供給が可能となっている。
【００４８】
なお、浮力体１１は、支持部材１２上部から、支持部材１２内に配置するために、モータ１４、バッテリ３０、制御装置３１等の外形と実質的に同じ形状にくり抜かれている。また、浮力体１１を支持部材１２の外側側面に取付けて浮力を増してもよい。また、支持部材１２、回転羽根１３、浄化剤の供給手段２３、及び太陽電池２９によって、拡散装置本体３２（支持部材１２とこれに取付けられた機器全体）が構成されている。
【００４９】
固定手段３８によって、拡散装置本体３２を、水面の所定位置に固定することができる。ここで、モータ１４が駆動すると、回転軸１５が回転するが、固定手段３８（固定軸１８を含む）は回転できないので、回転軸１５を中心としてモータ１４を固定した支持部材１２が回転し、支持部材１２に取付けられた回転羽根１３も回転するようになっている。なお、拡散装置本体３２は、内部に水が入り込まないように防水している。
【００５０】
次に、有機汚泥の浄化剤拡散装置１０を使用した有機汚泥の浄化方法について説明する。
まず、拡散装置本体３２を水底に有機汚泥が溜まっている池等の水面部（又は水面部近傍）に配置する。予め配置する池等の水深により、浄化剤拡散装置１０の固定手段３８の固定ロープ３５、３６の長さを調節しておく。水底にアンカー３３、３４を間隔を空けて設置する。なお、固定軸１８と支持ロッド３７の間に、長さ調節用の連結棒を取付けてもよい。
【００５１】
図３に示すように、太陽光によって、太陽電池２９が発電し、その電気によって回転羽根１３が、例えば、平面視して反時計回りに回転する。この回転によって、支持部材１２付近の水面の水は、遠心力によって、支持部材１２から水平方向外側に流れていく。更に、支持部材１２の下方の水は、支持部材１２方向に上昇し、これらの流れによって、浄化剤拡散装置１０付近の水は、図１中の矢印のように循環する流れとなる。この循環する流れによって、水底付近の水は、水面へと導かれ、太陽光（つまり、紫外線）による殺菌や、空気中の酸素の取り込みにより水が浄化される。
【００５２】
更に、太陽電池２９による電気によって、タイマー式の電磁弁２６が駆動し、時間計量された量の酵素タンク２４内の酵素溶液を水中に供給する。なお、定容量ポンプを使用する場合には、ポンプの吐出量（例えば、ポンプの回転数）を予め決めておく。水中に供給された酵素溶液は、前記した循環する水の流れによって、水中に拡散される。酵素溶液によって、水底に堆積する有機汚泥を分解することができる。酵素タンク２４は、図面上には強調して大きく記載されているが、浮力体１１の容積の１／２以下（更に好ましくは１／４以下）として、仮に、内部の酵素溶液がなくなっても、浮力体１１や回転羽根１３が浮き上がらないようにするのがよい（以下の実施の形態においても同じ）。
【００５３】
なお、本実施の形態では、浄化剤拡散装置１０の酵素タンク２４の容量は３０Ｌのものを使用している。ここで、３０Ｌの酵素溶液を３ヶ月間使用する場合、１ヶ月当たりでは１０Ｌ、１日当たりではおよそ３３３ｍＬ、１時間当たりではおよそ１４ｍＬの酵素溶液を水中に供給する必要がある。浄化剤拡散装置１０では、１時間毎に１４ｍＬの酵素溶液をタイマーによる電磁弁２６の開時間（又は定容量ポンプの吐出量）で計量し、水中に供給するようにタイマー式の電磁弁２６が作動している。
【００５４】
なお、本発明はこの実施の形態に限定されず、供給する酵素溶液の量を、例えば、１日当たり１０ｍＬ〜２Ｌの範囲で変えることもできる。また、少量注入で制御が困難な場合には、１０〜２０００倍程度に希釈した酵素溶液を水中に所定量ずつ供給することもできる。また、酵素タンク２４内の酵素溶液が少なくなったときには、酵素注入口２８から酵素溶液を酵素タンク２４に注入して、酵素溶液を補充する。なお、酵素注入口２８には図示しない密閉蓋が設けられている。この場合、内部に圧縮ガスを注入することもできる。
【００５５】
また、雨や曇りの日、また、夜等の太陽が出ていないときには、太陽電池２９によって発電した電気が蓄えられたバッテリ３０から電気を供給して、モータ１４、電磁弁２６を駆動させることができる。また、太陽電池２９が故障しても、バッテリ３０に蓄えられた電気によって、モータ１４、電磁弁２６を駆動させ、水を浄化することができる。
【００５６】
図４及び図５を参照して、本発明の第２の実施の形態に係る有機汚泥の浄化剤拡散装置３９について説明する。なお、有機汚泥の浄化剤拡散装置１０と同一の構成要素については同一の番号を付してその詳しい説明を省略する。
浄化剤拡散装置３９は、浄化剤拡散装置１０と同様に、支持部材１２、回転羽根１３、モータ１４、浄化剤の供給手段２３、電磁弁２６、太陽電池２９、及びバッテリ３０を有する拡散装置本体３２を有している。
【００５７】
また、浄化剤拡散装置３９は、拡散装置本体３２とは間隔を空けて設置される固定手段４０を有している。固定手段４０は、水底に間隔を空けて設置されるアンカー３３、３４と、アンカーに固定ロープ３５、３６を介して水中に固定される連結部材３６ｂとを有している。連結部材３６ｂは、アンカー３３、３４に固定ロープ３５、３６を介してその両端がそれぞれ連結される支持ロッド３７と、支持ロッド３７に一体的に連結される垂直部材である支柱４２とを有している。更に、支柱４２には、水面に浮かぶ支点部材４１が取付けられている。
【００５８】
また、固定手段４０は、拡散装置本体３２に取付けられた固定軸１８と実質的に同じ構造を有する接続部材４２ａと、支柱４２の中間部に回転可能なリング４４を介して取付けられ、リング４４と接続部材４２ａを連結するステンレスのパイプで形成された水平部材４３とを有している。また、回転羽根１３は、支柱４２に回転自由に設けられている水平部材４３と、水平部材４３の先部に設けられている接続部材４２ａと、接続部材４２ａの先端に取付けられているモータ１４と、及びモータ１４に取付けられている支持部材１２とを介して設けられている。
【００５９】
このように、水平部材４３を介して支持部材１２が連結され、これによって、拡散装置本体３２は固定手段４０を中心に、水平部材４３を半径として回転可能となっている。浄化剤拡散装置３９はこの点が浄化剤拡散装置１０と異なっている。なお、水平部材４３の先部はフランジとなっており、接続部材４２ａの先部に設けられたフランジと図示しないボルトによって連結されている。
【００６０】
次に、有機汚泥の浄化剤拡散装置３９を使用した有機汚泥の浄化方法について説明する。
まず、拡散装置本体３２を水底に有機汚泥が溜まっている池等の水面に配置するために、予め配置する池等の水深により、浄化剤拡散装置３９の固定手段４０の固定ロープ３５、３６及び支柱４２の長さを調節しておく。水底にアンカー３３、３４を間隔を空けて設置する。また、水平部材４３の長さも池等の広さによって決めることができる。ここで、固定手段４０を、水平部材４３、接続部材４２ａを介して、拡散装置本体３２の支持部材１２の底部に取付けて、浄化剤拡散装置３９を設置する。なお、接続部材４２ａと水平部材４３の間に、長さ調節用の連結棒を取付けてもよい。
【００６１】
図５に示すように、太陽電池２９が発電し、その電気によって回転羽根１３が、例えば、平面視して反時計回りに回転する。この回転によって、水は循環する流れとなり、水が浄化される。更に、拡散装置本体３２は、回転羽根１３の回転により、リング４４を中心に、水平部材４３を半径として回転する。これによって、浄化剤拡散装置３９では、広範囲の水を浄化することが可能である。
【００６２】
図６〜図８を参照して、本発明の第３の実施の形態に係る有機汚泥の浄化剤拡散装置５０について説明する。
浄化剤拡散装置５０は、水底に設置されたアンカー６６、６７を備えた固定手段７３を介して水面部又は水面部近傍に浮上状態で配置され、駆動手段の一例である減速機付のモータ５５（回転数は、例えば０．５〜１０ｒｐｍ）によって回転する複数、例えば、３枚の回転羽根５４（長さは、例えば０．５〜５ｍ）によって、回転羽根５４の近傍に設けられた浄化剤の放出口８６ａから排出される浄化剤を水中に拡散する装置である。以下、詳しく説明する。
【００６３】
浄化剤拡散装置５０は、水面に浮く、例えば、中心軸と一致する位置に貫通孔５１を備えた円筒形状の発泡スチロールで形成された浮力体５２を備えた支持部材５３を有し、３つの回転羽根５４は、支持部材５３を中心にして放射状に広げて設けられている。
【００６４】
ここで、支持部材５３は、ステンレスで形成され、貫通孔５１を備えた円筒状の浮力体５２の内側側面（すなわち貫通孔５１の側面）、底面及び外側側面を覆い、その上端の外周部には、内側へ突出しているドーナツ板状の突出部５６を有している。また、突出部５６には、円筒形の支持部材５３の中心軸を中心として、等角度、つまり、１２０度の角度となる位置に、突出部５６よりも更に内側に突出した矩形板状に形成された３つの取付部５７が設けられている。
【００６５】
更に、取付部５７には、回転羽根５４と、モータ５５の回転軸５８に取付けられ、回転羽根５４を回転させる回転具５９とをそれぞれ取付ける取付孔６０、６１とを有している。なお、支持部材５３は、内部に浮力体５２を備え、回転羽根５４及びモータ５５を有する機器全体を水に浮かせている。また、支持部材５３、回転羽根５４によって、拡散装置本体５０ａ（支持部材５３とこれに取付けられた機器全体）が構成されている。
【００６６】
ここで、固定手段７３は、アンカー６６、６７と、アンカー６６、６７にそれぞれ固定ロープ６８、６９を介して水中に固定される連結部材７２ａとを有し、しかも、連結部材７２ａはアンカー６６、６７に固定ロープ６８、６９を介して、その両端が連結される支持ロッド７２と、支持ロッド７２に一体的に連結される垂直部材である固定軸６４とを有している。なお、支持ロッド７２の両端にはフック７０、７１が設けられ、フック７０、７１によって、固定ロープ６８、６９がそれぞれ連結されている。
【００６７】
また、図７に示すように、モータ５５は、その回転軸５８が上向きに配置され、モータ５５の下部はボルト６２によって取付ベース６３に取付けられている。取付ベース６３には、モータ５５の回転軸５８と実質的に一致する位置にモータ５５を固定するステンレスのパイプで形成された固定軸６４を取付けるソケット６５が溶接されている。なお、ソケット６５に取付けられた固定軸６４、つまり、固定手段７３によって、支持部材５３が水面部又は水面部近傍の所定位置に浮上状態で固定されている。
【００６８】
また、回転具５９は、モータ５５の回転軸５８を差し込む取付孔７９を備えた円形の回転具本体８０と、回転具本体８０の取付孔７９を中心として、等角度、つまり、１２０度の角度となる位置に設けられた３つの取付部８１とを有している。回転具本体８０は、モータ５５の上部に取付けられ、モータ５５の回転軸５８の回転により、取付部８１がモータ５５に接触しないように形成されている。つまり、取付部８１は、回転軸５８の回転によるモータ５５の最大半径よりも外側となる位置まで回転具本体８０と同一平面上（つまり、水平方向）にあり、そこから垂直下向きに折り曲げられ、更に、支持部材５３の取付部５７の上部に接触して取付けられるように水平方向外側に折り曲げられている。
【００６９】
ここで、取付部８１の先部は、支持部材５３の取付部５７の取付孔６１にボルト８２で取付けられている。モータ５５の駆動により、回転軸５８が回転すると、回転軸５８に取付けられた回転具５９が回転し、更にこれに取付けられた支持部材５３と、支持部材５３に取付けられた回転羽根５４も回転する。なお、この際には、固定手段７３に接続されたソケット６５、取付ベース６３及びモータ５５は回転しない。
【００７０】
また、回転羽根５４は、基部が、例えば、ステンレスの角パイプ等からなる棒状に形成され、内部には水に浮く、例えば、発泡スチロールが充填された棒状部７４と、先部が、例えば、塩化ビニル製の板状の水掻き部７５とを有している。棒状部７４の先部下側には、水掻き部７５の厚みの隙間を有して設けられ、水掻き部７５を挟むようにボルト７７を通す孔を有する取付部７６が設けられている。なお、水掻き部７５にも、取付部７６のボルト７７の位置に孔があけられ、水掻き部７５を取付部７６に挟み込み、ボルト７７によって固定されている。
【００７１】
回転羽根５４が回転する際には、水掻き部７５が水を掻くようになっている。なお、３つの回転羽根５４の基部は、円筒形の支持部材５３の中心軸を中心として、等角度、つまり、１２０度の角度となるように支持部材５３の取付部５７の取付孔６０にボルト７８で取付けられている。また、回転羽根５４の水掻き部７５は、塩化ビニルで形成され、全体の浮力の向上に役立っている。これによって、支持部材５３の安定を図り、風による機器全体の転覆を防止している。
【００７２】
浄化剤拡散装置５０は、水中の有機物や水底に堆積する有機汚泥を分解する有機汚泥の浄化剤、例えば、酵素溶液を、水中に徐々に供給する浄化剤の供給手段８３を有している。浄化剤の供給手段８３は、酵素溶液を貯留する酵素タンク８４と、所定量の浄化剤を時間毎に供給するタイマー付のポンプ８５と、貯留槽内の浄化剤を水中に供給する内径５ｍｍのテフロン（登録商標）製のチューブ８６とを有し、更に、チューブ８６には、逆止弁８７が取付けられている。
【００７３】
なお、酵素タンク８４、タイマー付のポンプ８５、及び逆止弁８７は陸上に設置されている。また、チューブ８６は、陸上から水底を這わせ、その先部に設けられた放出口８６ａは支持ロッド７２と固定軸６４との接続している位置に配置され、浄化剤の供給手段８４から供給された酵素溶液を水中に放出している。
【００７４】
また、浄化剤拡散装置５０は、陸上に設置された電気供給手段の一例である配電盤８８からケーブル８９を介して、モータ５５を駆動させる電気が供給されている。ケーブル８９は、陸上から水底を這わせて設置し、更に中空の固定軸６４内を通して、モータ５５に接続されている。なお、浄化剤の供給手段８３のタイマー付のポンプ８５も配電盤８８から電気が供給されている。
更に、拡散装置本体５０ａは、上方からプラスチック製のカバー９０で覆われ、モータ５５を保護している。
【００７５】
次に、有機汚泥の浄化剤拡散装置５０を使用した有機汚泥の浄化方法について説明する。
まず、拡散装置本体５０ａを水底に有機汚泥が溜まっている池等の水面部（又は水面部近傍）に配置する。予め配置する池等の水深により、浄化剤拡散装置５０の固定手段７３の固定ロープ６８、６９の長さを調節しておく。水底にアンカー６６、６７を間隔を空けて設置する。なお、固定軸６４と支持ロッド７２の間には、長さ調節用の連結棒を取付けてもよい。
【００７６】
図６に示すように、配電盤８８からケーブル８９を介して供給された電気によって、モータ５５が駆動し、モータ５５の回転軸５８が、例えば、平面視して反時計回りに回転する。ここで、回転軸５８の回転と共に、回転軸５８に取付けられた回転具５９、回転具５９に取付けられた支持部材５３及び支持部材５３に取付けられた回転羽根５４が、平面視して反時計回りに回転する。この際には、固定手段７３に接続されたソケット６５、取付ベース６３及びモータ５５は回転しないので、ケーブル８９は、捩れることがない。
【００７７】
この回転によって、支持部材５３付近の水面の水は、遠心力によって、支持部材５３から水平方向外側に流れていく。更に、支持部材５３の下方の水は、支持部材５３方向に上昇し、これらの流れによって、浄化剤拡散装置５０付近の水は、図６中の矢印のように循環する流れとなる。この循環する流れによって、水底付近の水は、水面へと導かれ、太陽光（つまり、紫外線）による殺菌や、空気中の酸素の取り込みにより水が浄化される。
【００７８】
更に、浄化剤の供給手段８３のタイマー付のポンプ８５の作動によって、酵素タンク８４内の酵素溶液をチューブ８６を介して放出口８６ａから水中に供給する。なお、定容量ポンプを使用する場合には、ポンプの吐出量（例えば、ポンプの回転数）を予め決めておく。水中に供給された酵素溶液は、前記した循環する水の流れによって、水中に拡散される。酵素溶液によって、水底に堆積する有機汚泥を分解することができる。
【００７９】
なお、本実施の形態では、浄化剤拡散装置５０の酵素タンク８４の容量は９０Ｌのものを使用している。ここで、９０Ｌの酵素溶液を３ヶ月間使用する場合、１ヶ月当たりでは３０Ｌ、１日当たりではおよそ１Ｌ、１時間当たりではおよそ４２ｍＬの酵素溶液を水中に供給する必要がある。浄化剤拡散装置５０では、１時間毎に４２ｍＬの酵素溶液をタイマー付のポンプ８５の駆動時間で計量し、水中に供給するようにタイマー付のポンプ８５が作動している。
【００８０】
なお、本発明はこの実施の形態に限定されず、供給する酵素溶液の量を、例えば、１日当たり１０ｍＬ〜２Ｌの範囲で変えることもできる。また、少量注入で制御が困難な場合には、１０〜２０００倍程度に希釈した酵素溶液を水中に所定量ずつ供給することもできる。また、酵素タンク８４内の酵素溶液が少なくなったときには、密閉蓋が設けられた図示しない酵素注入口から酵素溶液を酵素タンク８４に注入して、酵素溶液を補充する。浄化剤の供給手段８３は、陸上に設けられているので、酵素タンク８４内に浄化剤を供給し易くなり、また、故障等によるタイマー付のポンプ８５の作動不良にも対応し易くなる。
【００８１】
図９を参照して、本発明の第４の実施の形態に係る有機汚泥の浄化剤拡散装置９１について説明する。なお、有機汚泥の浄化剤拡散装置５０と同一の構成要素については同一の番号を付してその詳しい説明を省略する。
浄化剤拡散装置９１は、浄化剤拡散装置５０と同様に、支持部材５３、回転羽根５４、及びモータ５５を有する拡散装置本体５０ａを有している。
【００８２】
また、浄化剤拡散装置９１は、拡散装置本体５０ａとは間隔を空けて設置される固定手段９２を有している。固定手段９２は、水底に間隔を空けて設置されるアンカー６６、６７と、アンカーに固定ロープ６８、６９を介して水中に固定される連結部材７２ｂとを有している。連結部材７２ｂは、アンカー６６、６７に固定ロープ６８、６９を介してその両端がそれぞれ連結される支持ロッド７２と、支持ロッド７２に一体的に連結される垂直部材である支柱９４とを有している。更に、支柱９４には、水面に浮かぶ支点部材９３が取付けられている。
【００８３】
また、固定手段９２は、拡散装置本体５０ａに取付けられた固定軸６４と実質的に同じ構造を有する接続部材９４ａと、支柱９４の中間部に回転可能なリング９６を介して取付けられ、リング９６と接続部材９４ａを連結するステンレスのパイプで形成された水平部材９５とを有し、水平部材９５の先部は雌ネジに形成され、接続部材９４ａの先部に形成された雄ネジと連結されている。支持部材５３はモータ５５を介して水平部材９５に設けられ、回転羽根５４は、支柱９４に回転自由に設けられている水平部材９５と、水平部材９５の先部に設けられている支持部材５３を介して設けられている。
【００８４】
このように、固定手段９２には、水平部材９５を介して支持部材５３が連結され、これによって、拡散装置本体５０ａは固定手段９２の支柱９４を中心に、水平部材９５を半径として回転可能となっている。
【００８５】
また、浄化剤拡散装置９１は、酵素タンク８４、配電盤８８から電気が供給されているタイマー付のポンプ８５、及び逆止弁８７が取付けられたチューブ８６を備えた浄化剤の供給手段８３を有している。ここで、酵素タンク８４、タイマー付のポンプ８５、及び逆止弁８７は陸上に設置され、チューブ８６は、陸上から水底を這わせ、その先部は支持ロッド７２と支柱９４との接続している位置に配置されている。
【００８６】
また、浄化剤拡散装置９１は、配電盤８８からケーブル８９を介して、モータ５５を駆動させる電気が供給されている。ケーブル８９は、陸上から水底を這わせ、更に中空の支柱９４を通し、リング９６内のスリップリングを介して、更に、中空の水平部材９５及び接続部材９４ａ内を通して、モータ５５に接続されている。スリップリングによって、ケーブルが捩れずに、モータ５５に電気が供給できるようになっている。
【００８７】
次に、有機汚泥の浄化剤拡散装置９１を使用した有機汚泥の浄化方法について説明する。
まず、拡散装置本体５０ａを水底に有機汚泥が溜まっている池等の水面に配置するために、予め配置する池等の水深により、浄化剤拡散装置９１の固定手段９２の固定ロープ６８、６９及び支柱９４の長さを調節しておく。水底にアンカー６６、６７を間隔を空けて設置する。また、水平部材９５の長さも池等の広さによって決めることができる。ここで、固定手段９２を、水平部材９５を介して、接続部材９４ａに取付けて、浄化剤拡散装置９１を設置する。なお、接続部材９４ａと水平部材９５の間に、長さ調節用の連結棒を取付けてもよい。
【００８８】
配電盤８８からケーブル８９を介して供給された電気によって、モータ５５が駆動し、モータ５５の回転軸５８が、例えば、平面視して反時計回りに回転する。ここで、回転軸５８が回転と共に、回転軸５８に取付けられた回転具５９、回転具５９に取付けられた支持部材５３、及び支持部材５３に取付けられた回転羽根５４が、例えば、平面視して反時計回りに回転する。この回転によって、水は循環する流れとなり、水が浄化される。更に、拡散装置本体５０ａは、回転羽根５４の回転により、固定手段９２を中心に、水平部材９５を半径として回転する。これによって、浄化剤拡散装置９１では、広範囲の水を浄化することが可能である。なお、ケーブル８９は、リング９６内のスリップリングによって捩れることがない。
【００８９】
本発明は、前記した実施の形態に限定されるものではなく、本発明の要旨を変更しない範囲での変更は可能であり、例えば、前記したそれぞれの実施の形態や変形例の一部又は全部を組み合わせて本発明の有機汚泥の浄化剤拡散装置を構成する場合も本発明の権利範囲に含まれる。
例えば、浄化剤拡散装置において、浄化剤の供給手段を回転羽根に設けてもよい。また、浮力体として、発泡スチロールを用いたが、水に浮く材質で形成すればよい。しかしながら、浮力体は、水に接触したときに、有害物質が溶出しないものでなければならない。更に、浄化剤として、酵素溶液を用いたが、液体に限らず、固体状（粉状）の酵素を水中に供給してもよく、また、好気性微生物を水中に供給してもよい。
【００９０】
また、回転羽根の枚数も、３枚に限定されない。また、浄化剤の供給手段として、タイマー式の電磁弁を用いたが、点滴装置によって、浄化剤を徐々に水中に供給してもよい。また、電磁弁とポンプを併用することもできる。アンカーは、固定ロープを介して直接支持部材に取付けてもよい。更に、支持ロッドは、垂直部材を中心として、放射状に複数設けてもよく、また、円形や、三角形、四角形等の多角形とし、それに固定ロープを取付けてもよい。
電気供給手段として、太陽光によって発電する太陽電池を用いたが、太陽の熱によって発電する熱電気発電機、風力発電を行う風車、及び水力発電を行う水車を用いてもよく、太陽光による発電機、風力による発電機及び水力発電機のいずれか２以上を設けてもよい。
【００９１】
更に、前記実施の形態においては、酵素溶液を入れる酵素タンクは一定形状を有するタンクによって形成したが、例えば、柔軟性のある容器に入れて、水面下に配置することもできる。この場合、別に設けたポンプによって汲み出してもよい。また、更には、酵素タンクにゴム等の弾性力を有する容器を用い、ゴム等の弾性、即ち、容器自体が収縮しようとする力によって酵素溶液を排出するようにしてもよい。
【００９２】
このゴム等の弾性力を有する容器又は剛体（例えば、プラスチック、又は金属）製の容器に、酵素溶液と圧縮ガス（例えば、窒素又は空気）を入れて、圧縮ガスの力によって、（１）その流れを電磁弁で開閉して、又は（２）連続開となったオリフィスを通じて徐々に、又は（３）点滴装置を介して徐々に、排出するようにしてもよい。これによって、ポンプを設ける必要がない。
また、圧縮ガスと酵素を入れた容器を水上に浮かべるのが好ましく、この場合には、回転羽根等の浮力に関係しないので、酵素溶液の減少によって回転羽根が浮く等の弊害がない。
【図面の簡単な説明】
【００９３】
【図１】本発明の第１の実施の形態に係る有機汚泥の浄化剤拡散装置の説明図である。
【図２】同浄化剤拡散装置の要部断面図である。
【図３】同浄化剤拡散装置の部分平面図である。
【図４】本発明の第２の実施の形態に係る有機汚泥の浄化剤拡散装置の説明図である。
【図５】同浄化剤拡散装置の部分平面図である。
【図６】本発明の第３の実施の形態に係る有機汚泥の浄化剤拡散装置の説明図である。
【図７】同浄化剤拡散装置の要部断面図である。
【図８】同浄化剤拡散装置の部分平面図である。
【図９】本発明の第４の実施の形態に係る有機汚泥の浄化剤拡散装置の説明図である。
【符号の説明】
【００９４】
１０：有機汚泥の浄化剤拡散装置、１１：浮力体、１２：支持部材、１３：回転羽根、１４：モータ（駆動手段）、１５：回転軸、１６：取付ベース、１７：水掻き部、１８：固定軸（垂直部材）、１９：ケーシング、２０：軸受、２１：ケーシング、２２：軸受、２３：浄化剤の供給手段、２４：酵素タンク、２５：供給口、２６：タイマー式の電磁弁、２７：チューブ、２７ａ：放出口、２８：酵素注入口、２９：太陽電池、３０：バッテリ、３１：制御装置、３２：拡散装置本体、３３、３４：アンカー、３５、３６：固定ロープ、３６ａ、３６ｂ：連結部材、３７：支持ロッド、３８：固定手段、３９：有機汚泥の浄化剤拡散装置、４０：固定手段、４１：支点部材、４２：支柱（垂直部材）、４２ａ：接続部材、４３：水平部材、４４：リング、５０：有機汚泥の浄化剤拡散装置、５０ａ：拡散装置本体、５１：貫通孔、５２：浮力体、５３：支持部材、５４：回転羽根、５５：モータ（駆動手段）、５６：突出部、５７：取付部、５８：回転軸、５９：回転具、６０、６１：取付孔、６２：ボルト、６３：取付ベース、６４：固定軸（垂直部材）、６５：ソケット、６６、６７：アンカー、６８、６９：固定ロープ、７０、７１：フック、７２：支持ロッド、７２ａ、７２ｂ：連結部材、７３：固定手段、７４：棒状部、７５：水掻き部、７６：取付部、７７、７８：ボルト、７９：取付孔、８０：回転具本体、８１：取付部、８２：ボルト、８３：浄化剤の供給手段、８４：酵素タンク、８５：タイマー付のポンプ、８６：チューブ、８６ａ：放出口、８７：逆止弁、８８：配電盤（電気供給手段）、８９：ケーブル、９０：カバー、９１：有機汚泥の浄化剤拡散装置、９２：固定手段、９３：支点部材、９４：支柱（垂直部材）、９４ａ：接続部材、９５：水平部材、９６：リング
【図１】
2005066475.tif 000003
【図２】
2005066475.tif 000004
【図３】
2005066475.tif 000005
【図４】
2005066475.tif 000006
【図５】
2005066475.tif 000007
【図６】
2005066475.tif 000008
【図７】
2005066475.tif 000009
【図８】
2005066475.tif 000010
【図９】
2005066475.tif 000011